(57)【特許請求の範囲】
【請求項１】
オーディオ・ビジュアル機器を構成する方法であって、
カメラからのオーディオ・ビジュアルデータを処理するデバイスに通信可能に結合されたカメラのイメージセンサを用いて画像を取り込むステップであって、前記カメラまたは前記デバイスは第一の設定に設定される機能的な態様を有し、前記画像はコード化パターンを含む、ステップと、
画像プロセッサを用いて、前記コード化パターンから情報を抽出するステップであって、前記情報は、暗号化情報を含み、前記カメラによって保持される一意の識別子を用いて前記暗号化情報を解読するステップを含む、ステップと、
前記抽出された情報を用いて前記カメラまたは前記デバイスの所定のフィーチャをロック解除するステップであって、該フィーチャは、前記カメラまたは前記デバイスの機能的な態様を、第一の設定から第二の設定に再設定することによりロック解除され、前記デバイスの機能的態様の再設定は、前記デバイスを前記第一の設定に従ったオーディオ・ビジュアルデータの処理から前記第二の設定に従ったオーディオ・ビジュアルデータの処理に再設定する、ステップと、
を含む方法。
【請求項２】
前記一意の識別子は、カメラと関連したシリアル番号を含む請求項１の方法。
【請求項３】
前記一意の識別子は、カメラに対して生成される暗号化キーを含む請求項１の方法。
【請求項４】
前記画像プロセッサはカメラの画像プロセッサであり、前記コード化パターンから情報を抽出するステップは、
前記カメラによって保持される一意の識別子を用いて前記カメラによって暗号化情報のいずれかが解読され得るかどうか決定するステップと、
前記カメラによって暗号化情報の部分が解読され得るときにカメラで暗号化情報の一部を解読するステップと、
情報の一部または全部がカメラによって解読され得ないときに、カメラに通信可能に結合された少なくとも一つの他のデバイスに暗号化情報を転送するステップと、
を含む請求項１の方法。
【請求項５】
少なくとも一つの他のデバイスは、少なくとも一つの他のデバイスによって保持される一意の識別子を用いて暗号化情報の第２部分を解読するように構成される請求項４の方法。
【請求項６】
前記フィーチャは、カメラのアスペクト比に関連している請求項１の方法。
【請求項７】
前記フィーチャは、カメラのビデオ解像度に関連している請求項１の方法。
【請求項８】
前記フィーチャは、カメラのビデオフレームレートに関連している請求項１の方法。
【請求項９】
前記フィーチャは、カメラのビデオ出力のコード化フォーマットに関連している請求項１の方法。
【請求項１０】
前記フィーチャは、カメラに通信可能に結合されるカメラ制御ユニットに関連している請求項１の方法。
【請求項１１】
前記フィーチャは、カメラからの、そして、少なくとも一つの他のカメラからのビデオフィードを受け取るように構成されるゲートウェイに関連している請求項１の方法。
【請求項１２】
前記フィーチャは、少なくとも一つの他のカメラの機能的な態様に関連している請求項１１の方法。
【請求項１３】
前記フィーチャは、カメラのビデオ出力に加えられる効果に関連している請求項１の方法。
【請求項１４】
前記フィーチャは、カメラによるスローモーションの取り込みを可能にする請求項１の方法。
【請求項１５】
前記フィーチャは、カメラのビデオ出力からのメタデータの生成に関連している請求項１の方法。
【請求項１６】
前記デバイスがネットワークを介してカメラからビデオフィードを伝搬させるように構成されるビデオサーバを含み、前記フィーチャは、ネットワークを介してビデオフィードを伝搬させるために用いられるコード化フォーマットに関連している請求項１の方法。
【請求項１７】
前記コード化パターンは、バーコードを含む請求項１の方法。
【請求項１８】
前記バーコードは、二次元のバーコードである請求項１７の方法。
【請求項１９】
前記バーコードは、色にコード化された情報を含む請求項１８の方法。
【請求項２０】
前記コード化パターンから情報を抽出するステップは、
一つ以上のカメラ制御ユニット（ＣＣＵ）および基地局に画像を提供するステップと、
前記ＣＣＵまたは基地局に前記画像から情報を抽出させ、前記コード化パターンを復号させるステップと、
を含む請求項１の方法。
【請求項２１】
前記コード化パターンから情報を抽出するステップは、
前記カメラに通信可能に結合されたコンピュータデバイスに画像を提供するステップと、
前記画像から抽出される復号化情報を前記コンピュータデバイスから受け取るステップと、
を含む請求項１の方法。
【請求項２２】
カメラからのオーディオ・ビジュアルデータを処理するデバイスに通信可能に結合されたカメラのイメージセンサを用いて画像を取り込む手段であって、前記カメラまたは前記デバイスは第一の設定に設定される機能的な態様を有し、前記画像はコード化パターンを含む、手段と、
カメラの画像プロセッサを用いて前記コード化パターンから情報を抽出する手段であって、前記情報は、暗号化情報を含み、前記カメラによって保持される一意の識別子を用いて前記暗号化情報を解読する手段を含む、手段と、
前記抽出された情報を用いて前記カメラまたは前記デバイスの所定のフィーチャをロック解除する手段であって、該フィーチャは、前記カメラまたは前記デバイスの機能的な態様を、第一の設定から第二の設定に再設定することによりロック解除され、前記デバイスの機能的態様の再設定は、前記デバイスを前記第一の設定に従ったオーディオ・ビジュアルデータの処理から前記第二の設定に従ったオーディオ・ビジュアルデータの処理に再設定する、手段と、
を含むカメラ装置。
【請求項２３】
前記一意の識別子は、カメラと関連したシリアル番号を含む請求項２２のカメラ装置。
【請求項２４】
前記一意の識別子は、カメラに対して生成される暗号化キーを含む請求項２２のカメラ装置。
【請求項２５】
前記コード化パターンから情報を抽出する手段は、カメラによって暗号化情報のいずれかが該カメラで保持される一意の識別子を用いて解読され得るかどうか決定し、
該決定に基づき、前記情報を抽出する手段は、暗号化情報の一部がカメラによって解読され得る場合、カメラにおいて暗号化情報の一部を解読し、情報の一部もしくは全部がカメラによって解読不能な場合、通信可能に結合される少なくとも一つの他のデバイスに暗号化情報を送信する、請求項２２のカメラ装置。
【請求項２６】
前記少なくとも一つの他のデバイスは、少なくとも一つの他のデバイスによって保持される一意の識別子を用いて暗号化情報の第２部分を解読するように構成される請求項２５のカメラ装置。
【請求項２７】
前記フィーチャは、カメラのアスペクト比およびカメラのビデオ解像度の一つ以上に関連する請求項２２のカメラ装置。
【請求項２８】
前記フィーチャは、カメラのビデオフレームレートおよびカメラのビデオ出力のコード化フォーマットの一つ以上に関連している請求項２２のカメラ装置。
【請求項２９】
前記フィーチャは、カメラに通信可能に結合されるカメラ制御ユニットに関連している請求項２２のカメラ装置。
【請求項３０】
前記フィーチャは、カメラからの、および少なくとも一つの他のカメラからのビデオフィードを受け取るように構成されるゲートウェイに関連している請求項２２のカメラ装置。
【請求項３１】
前記フィーチャは、少なくとも一つの他のカメラの機能的な態様に関連している請求項３０のカメラ装置。
【請求項３２】
前記フィーチャは、カメラのビデオ出力に加えられる効果に関連している請求項２２のカメラ装置。
【請求項３３】
前記フィーチャは、カメラによるスローモーションの取り込みを可能にする請求項２２のカメラ装置。
【請求項３４】
前記フィーチャは、カメラのビデオ出力からのメタデータの生成に関連している請求項２２のカメラ装置。
【請求項３５】
前記デバイスは、ネットワークを介してカメラからビデオフィードを伝搬させるように構成されるビデオサーバを含み、前記フィーチャは、ネットワークを介してビデオフィードを伝搬させるために用いられるコード化フォーマットに関連している請求項２２のカメラ装置。
【請求項３６】
前記コード化パターンは、バーコードを含む請求項２２のカメラ装置。
【請求項３７】
前記コード化パターンから情報を抽出する手段は、カメラ制御ユニット（ＣＣＵ）および基地局の一つ以上に画像を提供し、前記ＣＣＵまたは基地局に画像から情報を抽出させ、コード化パターンを復号させる請求項２２のカメラ装置。
【請求項３８】
前記コード化パターンから情報を抽出する手段は、カメラに通信可能に結合されるコンピュータデバイスに画像を提供し、該コンピュータデバイスから、画像から抽出された復号情報を受け取る請求項２２のカメラ装置。
【請求項３９】
カメラからのオーディオ・ビジュアルデータを処理するデバイスに通信可能に結合されたカメラのイメージセンサを用いて画像を取り込むためのコードであって、前記カメラまたは前記デバイスは第一の設定に設定される機能的な態様を有し、前記画像はコード化パターンを含む、コードと、
カメラの画像プロセッサを用いて前記コード化パターンから情報を抽出するためのコードであって、前記情報は、暗号化情報を含み、前記カメラによって保持される一意の識別子を用いて前記暗号化情報を解読するためのコードを含む、コードと、
前記抽出された情報を用いて前記カメラまたは前記デバイスの所定のフィーチャをロック解除するためのコードであって、該フィーチャは、前記カメラまたは前記デバイスの機能的な態様を、第一の設定から第二の設定に再設定することによりロック解除され、前記デバイスの機能的態様の再設定は、前記デバイスを前記第一の設定に従ったオーディオ・ビジュアルデータの処理から前記第二の設定に従ったオーディオ・ビジュアルデータの処理に再設定する、コードと、
を含むコンピュータ可読媒体。
【請求項４０】
カメラを構成する装置であって、
カメラからのオーディオ・ビジュアルデータを処理するデバイスに通信可能に結合されたカメラのイメージセンサを用いて画像を取り込むように構成され、前記カメラまたは前記デバイスは第一の設定に設定される機能的な態様を有し、前記画像はコード化パターンを含み、
カメラの画像プロセッサを用いて前記コード化パターンから情報を抽出するための構成であって、前記情報は、暗号化情報を含み、前記カメラによって保持される一意の識別子を用いて前記暗号化情報を解読するための構成を含み、
前記抽出された情報を用いて前記カメラまたは前記デバイスの所定のフィーチャをロック解除するように構成され、該フィーチャは、前記カメラまたは前記デバイスの機能的な態様を、第一の設定から第二の設定に再設定することによりロック解除され、前記デバイスの機能的態様の再設定は、前記デバイスを前記第一の設定に従ったオーディオ・ビジュアルデータの処理から前記第二の設定に従ったオーディオ・ビジュアルデータの処理に再設定する、
処理システムを備える、装置。
【発明の詳細な説明】
【技術分野】
【０００１】
［関連出願についてのクロス・リファレンス］
本出願は、２０１２年２月２７日に出願の米国仮出願第６１／６０３，８４６号および２０１２年４月１９日に出願の米国特許出願第１３／４５１，１７５号の利益を主張し、その内容を本書に引用したものとする。
【０００２】
本開示は一般に、ビデオ制作システムに関し、より詳しくは、ビデオ制作システムの構成のためのシステム及び方法に関する。
【背景技術】
【０００３】
ビデオ制作システムは、例えば、テレビスタジオにおいて使われ、あるいは、様々な制御、処理、ルーティングおよび通信のデバイスを介して複数のカメラからのビデオおよびオーディオフィードを概して受信するスポーツイベントにおいて配備される。設備の多くは、ネットワーク化されて、制御、監視および構成（または設定）目的のために通信することができる。設備の一部もしくは全部は、様々なビデオフォーマットを満足させ、機能性のレベル変更を提供するように設定および構成され得る。
【発明の概要】
【発明が解決しようとする課題】
【０００４】
ビデオ制作システムの構成の変更は、高価で時間がかかり、特定のコンポーネントのアップグレードまたは交換を必要とする場合がある。
【課題を解決するための手段】
【０００５】
開示の一態様において、オーディオ・ビジュアル機器を構成する方法は、カメラのイメージセンサを用いた画像を取り込むステップを含む。画像は、コード化パターンを含むことができる。一部の実施態様では、コード化パターンは、バーコードを含む。一部の実施態様では、バーコードは、二次元のバーコードである。一部の実施態様では、バーコードは色にコード化された情報を含む。
【０００６】
開示の一態様において、カメラの画像プロセッサを用いて、コード化パターンから情報が抽出され得る。該情報は、暗号化情報を含むことができる。該情報は、カメラで保持される一意の識別子を用いて暗号化情報を解読することによって、コード化パターンから抽出され得る。一部の実施態様では、一意の識別子は、カメラと関連したシリアル番号を含む。一部の実施態様では、一意の識別子は、カメラに対して生成された暗号化キーを含む。
【０００７】
一部の実施態様において、カメラによって暗号化情報のいずれかが、該カメラで保持される一意の識別子を用いて解読され得るかどうか決定し、暗号化情報の一部がカメラによって解読され得る場合、カメラにおいて暗号化情報の一部を解読し、情報の一部もしくは全部がカメラによって解読不能な場合、カメラに通信可能に結合される少なくとも一つの他のデバイスに暗号化情報を送信することによって、情報がコード化パターンから抽出され得る。一部の実施態様では、少なくとも一つの他のデバイスは、少なくとも一つの他のソースによって保持される一意の識別子を用いて暗号化情報の第２部分を解読するように、構成される。
【０００８】
開示の態様において、カメラの所定のフィーチャ（特徴）またはカメラに通信可能に結合されるデバイスは、コード化パターンから抽出される情報を用いてロック解除される。上記フィーチャは、カメラまたはデバイスの機能的な態様に関連していてもよい。一部の実施態様では、上記フィーチャは、カメラのアスペクト比に関連している。一部の実施態様では、上記フィーチャは、カメラのビデオ解像度に関連している。一部の実施態様では、上記フィーチャは、カメラのビデオフレームレートに関連している。一部の実施態様では、上記フィーチャは、カメラのビデオ出力のコード化フォーマットに関連している。一部の実施態様では、上記フィーチャは、カメラに通信可能に結合されるカメラ制御ユニット（ＣＣＵ）に関連している。一部の実施態様では、上記フィーチャは、カメラからの、および少なくとも一つの他のカメラからのビデオフィード（配信動画）を受け取るように構成されるゲートウェイに関連している。一部の実施態様では、上記フィーチャは、少なくとも一つの他のカメラの機能的な態様に関連している。一部の実施態様では、上記フィーチャは、カメラのビデオ出力に加えられる効果に関連している。一部の実施態様では、上記フィーチャは、カメラによるスローモーションの取り込みを可能にする。一部の実施態様では、上記フィーチャは、カメラのビデオ出力からのメタデータの生成に関連している。一部の実施態様では、少なくとも一つの他のデバイスは、ネットワークを介してカメラからビデオフィードを伝搬させるように構成されるビデオサーバを含み、上記フィーチャは、ネットワークを介してビデオフィードを伝搬させるために用いられるコード化フォーマットに関連している。
【図面の簡単な説明】
【０００９】
【図１】処理システムを用いる装置のためのハードウェア実装の一例を示す図である。
【図２】ビデオ制作システムの一例を示すブロック図である。
【図３】オーディオ・ビジュアル機器構成プロセスの一例を示す概念的流れ図である。
【図４】オーディオ・ビジュアル機器構成プロセスの方法のフローチャートである。
【図５】典型的な装置の機能性を示す概念ブロック図である。
【発明を実施するための形態】
【００１０】
添付の図面に関連して以下に述べる詳細な説明は、様々な形態の説明として意図されており、本書において記載されている概念が実施され得る唯一の形態を表すことを意図しない。詳細な説明は、様々な概念の完全な理解を提供するために、具体的な詳細を含む。しかしながら、これらの概念がこういった具体的な詳細なしで実施され得ることは、当業者にとって明らかである。場合によっては、周知の構造およびコンポーネントは、この種の概念を不明瞭にすることを回避するために、ブロック図形式に示される。
【００１１】
ビデオ制作システムのいくつかの態様は、現在様々な装置および方法に関して示される。これらの装置および方法は、以下の詳細な説明に記載されており、様々なブロック、モジュール、コンポーネント、回路、ステップ、方法、アルゴリズムなど（まとめて「要素」と呼ばれる）によって添付図面に示される。これらの要素は、電子ハードウェア、コンピュータソフトウェアまたはそれらの任意の組み合わせを用いて実施することができる。ハードウェアまたはソフトウェアとしてこの種の要素が実施されるかどうかは、システム全体に課せられる特定のアプリケーションや設計の制約によって決まる。
【００１２】
例として、要素または要素のいずれかの部分、あるいは要素のいずれかの組み合わせは、一つ以上のプロセッサを含む「処理システム」で実行され得る。プロセッサの実施例は、この開示の全体にわたって記載されている様々な機能性を実行するように構成されるマイクロプロセッサ、マイクロコントローラ、画像プロセッサ、デジタル信号プロセッサ（ＤＳＰｓ）、フィールドプログラマブルゲートアレイ（ＦＰＧＡｓ）、プログラマブルロジックデバイス（ＰＬＤｓ）、状態機械、論理ゲート、個別のハードウェア回路および他の適切なハードウェアを含む。処理システムにおける一つ以上のプロセッサは、ソフトウェアを実行することができる。ソフトウェア、ファームウェア、ミドルウェア、マイクロコード、ハードウェア記述言語、あるいは別の言い方で呼ばれるにせよ、ソフトウェアは、命令、命令セット、コード、コード部分、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、機能などを意味するものとして幅広く解釈されるものとする。ソフトウェアは、非一時的コンピュータ可読媒体に存在し得る。搬送波、伝送路および、ソフトウェアを保存するあるいは送信する他の任意の適切な媒体と同様に、コンピュータ可読媒体は、例として、磁気記憶デバイス（例えば、ハードディスク、フロッピー（登録商標）ディスク、磁気帯）、光ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読出し専用メモリ（ＲＯＭ）、プログラマブルＲＯＭ（ＰＲＯＭ）、消去可能なＰＲＯＭ（ＥＰＲＯＭ）、電気的消去可能ＰＲＯＭ（ＥＥＰＲＯＭ）、レジスタ、リムーバブルディスクのような非一時的記憶を含むことができる。コンピュータ可読媒体は、処理システムにおいて常駐していてもよく、処理システムの外部にあっても、または処理システムを含む複数の実在物にわたって分配されていてもよい。コンピュータ可読媒体は、コンピュータプログラム製品に具現化され得る。例として、コンピュータプログラム製品は、パッケージ材料に入ったコンピュータ可読媒体を含むことができる。当業者は、システム全体に課せられる特定のアプリケーションや全体設計の制約に応じて、この開示を通して示される、記載されている機能性を実行する最適な方法を見分けるであろう。
【００１３】
図１は、処理システム１１４を用いる装置１００のためのハードウェア実装の一例を示す概念図である。この例では、演算処理システム１１４は、バス１０２によって一般に表されるバスアーキテクチャで実行され得る。バス１０２は、処理システム１１４および全体の設計制約の特定の適用に応じて、任意の数の相互接続バスおよびブリッジを含むことができる。バス１０２は、プロセッサ１０４で一般に表される一つ以上のプロセッサ１０４、画像プロセッサ１２０、シグナルプロセッサ１２０または他の専門的なプロセッサ１２０、およびコンピュータ可読媒体１０６によって一般に表される非一時的コンピュータ可読媒体、を含んでいる様々な回路を結びつける。バス１０２は、例えばタイミングソース、周辺機器、電圧調整器および電源管理回路などの様々な他の回路を連結することもでき、それは公知技術であるのでこれ以上記載されていない。一部の実施形態では、バスインタフェース１０８は、バス１０２とトランシーバ１１０の間のインタフェースを提供する。トランシーバ１１０は、伝送媒体の上の様々な他の装置と通信するための手段を提供する。一部の実施形態では、バスインタフェース１０８は、バス１０２と撮像デバイス１２２の間のインタフェースを提供することができる。処理システム１１４がビデオフィードを作り出すことを可能にするために、撮像デバイス１２２は場面またはイベントの一連の画像を捕える（取り込む）ことができる。画像プロセッサ１２０は、撮像デバイス１２２によって捕えられる一つ以上の画像を代表する信号を創作すべく、一連の画像におけるピクセルに作用するように、構成され得る。一例をあげれば、撮像デバイス１２２が、一連のフレームを代表する標準化ビデオ出力を生じさせる一連の画像でピクセル情報を処理することのできるＣＣＤアレイまたは、画像／シグナルプロセッサ１２０に直接「生の（未加工の）」画像信号を提供する撮像に適した他のデバイスを含むように、処理システム１１４はカメラに導入され得る。他の例では、撮像デバイス１２２は、撮像デバイス１２２によって送信される一連のフレームを代表する信号から情報を抽出するために画像プロセッサ１２０が使用され得るカメラを含んでもよい。抽出された情報は、背景情報、前景オブジェクト、動きベクトル、仮想線、オブジェクト計数、オブジェクトトラッキングおよび他のメタデータを含む圧縮ビデオストリームおよびメタデータを含むことができる。装置の性質によって、ユーザインタフェース１１２（例えば、キーパッド、ディスプレイ、スピーカ、マイクロホン、ジョイスティック）が設けられてもよい。
【００１４】
プロセッサ１０４は、コンピュータ可読媒体１０６に格納されるソフトウェアの実行を含むバス１０２および一般の処理を管理する役割を果たす。プロセッサ１０４によって実行される際、ソフトウェアは、任意の特定の装置のために以下に記載される様々な機能を処理システム１１４に実行させる。ソフトウェアを実行するときに、プロセッサ１０４によって操作されるデータを格納するために、コンピュータ可読媒体１０６が用いられ得る。
【００１５】
例えば、限定されるものではないが、図１に示されている本開示の態様は、テレビ番組またはスポーツイベントの制作のために利用され得るビデオ制作システムのコンポーネントを構成するために用いるシステム及び方法に関して示される。この開示の全体にわたって示される様々な概念は、ビデオおよび／または静止画像、ビデオ会議システムその他を記録し（取り込み）、処理するシステムを含む幅広い画像応用にわたって実施可能である。この開示の全体にわたって示される様々な概念は、例えば、スマートフォンやタブレット型コンピュータ、同様に他の計算プラットフォームを含むビデオ制作システムのコンポーネントに通信可能に結合され得る他のデバイスに適用され得る。
【００１６】
本書において記載されているように、ビデオ制作システムは、複数のフィーチャを有し様々な機能を実行することのできる様々なコンポーネントを含むことができる。ビデオ制作システムのコンポーネントは、フィーチャを有効にするサブセットとともにユーザに配信され得る。ある種の実施形態では、付加的なフィーチャは付いているが、配信システムではロックされており、ビデオ制作システムのカメラに画像を提示することによって解除または有効にされ得る。一部の実施形態では、ネットワークダウンロードによって、メモリまたは他のストレージデバイス（記憶装置）に納められるインストールソフトウェアによって、または、他の適当な手段によって、フィーチャおよび機能が追加し得る。ダウンロードされたフィーチャおよび機能は、ビデオ制作システムのコンポーネント上にインストールされ得るが、不作動のフォーマットで、ロックされて保存されてもよい。
【００１７】
ある種の実施形態では、フィーチャおよび機能は、カメラによって取り込まれる画像の情報を用いてロック解除され得る。カメラは、画像のコード化部分をデコード（復号）して、カメラのフィーチャをロック解除するため、またはカメラに通信可能に結合された他のデバイスのフィーチャまたは機能をロック解除するために用いる情報を抽出するように構成され得る。フィーチャをロック解除することは、ビデオ制作システムの一つ以上の追加機能要素の使用可能性が必要であるかもしれず、ビデオ製作システムの一つ以上の要素のうちの一つ以上のフィーチャをロック解除するために、単一のコード化画像が用いられてもよい。例えば、ビデオカメラの３倍速のフィーチャが有効にされるときに、より高いフレームレートを他のデバイスに伝達するか、またはスローモーションビデオフィードを伝達するために、制御ユニットが可能にするカメラ用の制御ユニットで関連するフィーチャを有効にすることを必要とする場合がある。
【００１８】
図２は、ビデオ制作システムを例示しているブロック図２００である。場面またはイベントのビデオ画像を取り込むために、一つ以上のカメラ２０２が配備され得る。概してカメラ２０２は、撮像デバイス１２２によって捕えられる一連の画像の代表のコード化ビデオ出力を生じさせる処理システムを備える。この説明のため、ビデオフィードおよび他の信号は、カメラ２０２によってダウンストリームデバイスまたはカメラ２０２のコンポーネントに送信される。ダウンストリーム信号は、ダウンストリームデバイスからカメラ２０２に関連するさらなるダウンストリームである他のデバイスまで送られる信号を含んでもよい。オペレータを対象とする音声信号を含む、カメラ２０２によって受信されるコントロール、コマンドおよび他の信号は、カメラ２０２の大まかな方向に送信される他の任意の信号でもあるアップストリーム信号と呼ばれることがある。
【００１９】
一部の実施形態では、カメラ２０２は、基地局２０４に接続され得る。基地局２０４は、電源および通信サービスをカメラ２０２に提供することができ、例えば、長距離のカメラ出力伝送を可能にすることができる。基地局２０４は、例えば、コンフィグレーション（設定または構成）、インターコム、様々な音声および他の通信システムおよびカメラ２０２の代わりのビデオ処理と同様にテレビ用プロンプターシステム（テレプロンプターシステム）を含んでいる他の機能をサポートすることができる。
【００２０】
基地局２０４は、一つ以上のカメラ２０２の動作を制御することができ、モニタすることができる。基地局２０４は、標準であるか専用の（独占所有権のある）制御インタフェースプロトコルをサポートすることができ、単一の命令インタフェースによる様々な異なるカメラ・タイプをサポートすることができる。基地局２０４は、カメラ２０２のセットを構成および調整するために用いることができ、カメラ２０２相互間に動作パラメータを転送するために通信チャネルを提供することができる。基地局２０４は、場面構成として一つ以上のカメラ２０２に対してコンフィギュレーションを取り込むことができる。基地局２０４は、場面構成を保存および／または場面構成を他のシステムコンポーネントと共有することができる。場面構成は、カメラ２０２のセッティングを元の状態に戻すおよび／またはシステムの他の制御可能なフィーチャを元の状態に戻すために、後になって用いることができる。基地局２０４は、カメラ２０２に診断を実行させる場合があって、カメラ２０２の状態情報を一つ以上のダウンストリームデバイスに提供することができる。
【００２１】
一つ以上の通信デバイス２０８は、通信ゲートウェイおよび／またはルーターとしての機能を果たすために設置され得る。ゲートウェイ２０８は、例えば、イーサネット（登録商標）、ＷｉＦｉ、セルラ無線ネットワーク等を含む任意の適切なデータ通信規格を用いる、基地局２０４と他のシステムコンポーネント間の接続を提供するために用いられ得る。一部の実施形態では、カメラ２０２、基地局２０４および他のシステムコンポーネントは、ローカルまたはワイドエリアネットワークを用いて制御およびオーディオ／ビジュアル信号を伝達することができる。ゲートウェイ２０８は、他のシステムデバイス２１６が他のネットワーク化されたコンポーネントおよびネットワーク化されないコンポーネントと通信することを可能にするネットワーク構成および管理サービスを提供することができる。他のネットワークデバイスは、基地局２０４およびカメラ２０２の異なるタイプを含むことができる。
【００２２】
ルーター２１０は、システムの範囲内でビデオフィードの送信をサポートするために用いられ得る。ルーター２１０は、一つ以上のカメラ２０２から、または、ストレージ２１４からビデオフィードを受信するように構成され得、それらのフィードのいくつかの組合せを切換器２１２によってダウンストリームコンポーネントに提供するように構成され得る。ストレージ２１４は、ビデオ制作システムによって作り出されまたは利用されるビデオおよびオーディオフィードを取り込む、記憶する、再生および／または転送することに適している任意のオーディオ／ビデオ記録デバイスを含んでもよい。切換器２１２は、ビデオおよびオーディオフィードを、一つ以上の制作システム、マイクロ波送信システムなどの伝送システムに提供することができる。ルーター２１０は、放送のためのビデオを受信することができ、放送フィードをブロードキャストネットワーク、ビデオストレージシステム２１４および／またはネットワークストリーミングサーバなどの他のデバイス２１６に提供することができる。
【００２３】
図３は、本発明の一部の態様の動作を例示している流れ図３００である。コード化画像３０２は、カメラシステム３０４’によって取り込まれ得る。カメラシステム３０４’は、例えばベースカメラ３０４、レンズシステム３０６およびビューファインダ３０８のような設定可能なコンポーネントを含むことができる。ベースカメラ３０４は、一つ以上の撮像装置１２２を含む処理システム１１４、および一つ以上の撮像デバイス１２２によって取り込まれるピクセルデータの連続したフレームを処理する画像プロセッサ１２０を含むことができる。一つ以上の撮像デバイス１２２は、可視スペクトルの異なる領域の画像を捕える３つ以上のイメージングアレイを含むことができる。一つ以上の撮像デバイス１２２は、場面または対象物の三次元画像を生成するために、空間的に分離されたレンズから光を受信する撮像デバイス１２２のセットを含むことができる。
【００２４】
レンズシステム３０６は、例えば、被写界深度設定、開口数および焦点距離を特定し得るレンズの所望の光学的位置を提供するために制御され得る。ビューファインダ３０８は、ベースカメラ３０４の解像度およびアスペクト比設定に適合するように、設定可能なディスプレイシステムを含むことができる。
【００２５】
一つの実施例において、コード化画像３０２は、バーコードを含む。バーコードは、バー、ストライプの四角形、円ドットまたは他の幾何学的形状のパターンを含むことができ、ここで、パターンおよび構成要素である幾何学的形状のいくつかの組み合わせは、情報をコード化する。バーコードは、ＣＯＤＥ３９、ＣＯＤＥ１２８または他の英数字バーコード、あるいは統一商品コード（ＵＰＣ）などの数字のバーコードなどの標準形式に従うことができる。バーコードは、例えばクイックレスポンスコード（ＱＲ  Ｃｏｄｅ）、データマトリクスコードなどの、二次元でもよい。コード化画像３０２は、情報をバーコードまたは他のパターンにコード化するカラーコーディングスキームを用いてコード化され得る。コード化画像３０２は、異なるコードを有する異なるサイズの複数のバーコードを含むことができる。コード化画像３０２は、例えば国際的な移動式機器のアイデンティティ（ＩＭＥＩ）など、専用の（独占所有権のある）または変更されたバーコードシステムに従ってコード化される情報を含有するバーコードを含むことができる。
【００２６】
ある種の実施形態では、カメラ３０４は、コード化画像３０２から情報を抽出してもよい。一つの実施例において、カメラ３０４の画像プロセッサ１２０は、取り込んだ画像３０２のバーコードパターンを確認することができ、バーコードにおいてコード化された情報を抽出するために、パターンをデコード（復号）することができる。画像プロセッサ１２０は、撮像デバイス１２２により提供されるピクセルデータからパターンを抽出することができる。撮像デバイス１２２によって取り込まれる画像３０２のパターンを確認する一つ以上のパターン認識アルゴリズムを実行する前に静止またはビデオ画像を得るために、画像プロセッサ１２０は、撮像デバイス１２２により提供されるピクセルデータを最初に処理することができる。一部の実施形態では、画像プロセッサ１２０は、オペレータがカメラ３０４の操作モードを選択した後、パターン認識を用いたロック解除コードを確認するように構成され得る。一部の実施形態では、画像プロセッサ１２０およびカメラ３０４の他のプロセッサ１０４を併用しているコード化画像３０２から、情報が抽出される。例えば、画像プロセッサ１２０は、検出パターンの幾何学的特性を表している情報を提供することができ、プロセッサ１０４は、バーコードタイプを確認し、それに応じてバーコードをデコード（復号）することができる。幾何学的特性は、全体寸法、形状要素サイズ、形状およびパターンの要素および方向付けの相対的な寸法を含むことができる。
【００２７】
一部の実施形態では、バーコードから抽出される情報は、カメラシステム３０４’または関連機器のフィーチャをロック解除するために用いられるキーまたは他の情報を含む。キーは、フィーチャに関連した一つ以上の機能を実行するプロセッサを使用可能にする命令またはデータを解読するために用いられ得る。一部の実施形態では、所望のフィーチャを有効にする登録レコードまたは他のレコードを更新または作り出すために、キーが用いられ得る。一部の実施例において、キーは、カメラシステム３０４’  または関連機器と一意的に関係している識別子と組み合わされてもよい。識別子は、カメラ２０２または関連機器のシリアル番号、プロセッサ１０４、１２０または撮像デバイス１２２のような半導体デバイスのシリアル番号、を含むことができる。識別子は、設定情報および／または、識別情報またはカメラ２０２または関連機器のオペレータにより提供される識別コードにおいて設けられている情報を含むことができる。一部の実施形態では、所定の暗号化または復号化のキーは、カメラ３０４または関連機器によって保持され得る。一部の実施形態では、所定の暗号化または復号化のキーは、カメラ３０４または関連機器で生成される要求に応じてネットワークを介して取得され得る。
【００２８】
ある種の実施形態では、コード化画像３０２は、ビデオ制作システムの一つ以上のコンポーネントのプロセッサによって復号処理され得る。例えば、ＣＣＵ３１０は、画像処理アプリケーションを用いて適応される画像プロセッサ１２０または他のプロセッサを含むことができる。他の例では、デスクトップコンピュータ、ノートパソコン、タブレット型コンピュータ３３２またはスマートフォンなどのコンピュータ３３２は、カメラシステム３０４’に通信可能に結合されてもよく、ネットワークを介してコード化画像３０２を受信し、処理することが可能であってもよい。
図３において表される実施例において、タブレット型コンピュータ３３２は、無線ネットワークを利用して直接または間接的にカメラシステム３０４’と通信するように構成され得る。タブレット型コンピュータ３３２は、コード化画像３０２の復号を有効にする一つ以上のアプリケーションを有することができる。
【００２９】
一部の実施形態では、暗号化情報は、カメラシステム３０４’または関連機器において復号され得る。一部の実施形態では、基地局３１０は、カメラ３０４に暗号解読サービスまたは復号キーを提供することができる。例えば、ベースカメラ３０４は、暗号解読用に用いられるキーを保持することができる。ベースカメラ３０４は、例えばシリアル番号、モデル番号、登録番号などカメラシステム３０４’と関連した一つ以上の一意識別子を用いて生成される暗号解読キーを用いてバーコードから抽出される情報を解読するように構成され得る。一部の実施形態では、カメラシステム３０４’は、コード化画像３０２から抽出される情報を解読するために、公開キーサーバを使用することができる。一部の実施形態では、コード化画像３０２は、カメラシステム３０４’のフィーチャがロック解除され得る前に、オペレータを認証することができ、および／またはカメラシステム３０４’を識別することができるネットワークの位置に、リンクを提供することができる。
【００３０】
一部の実施形態では、コード化画像３０２における情報は、コード化画像３０２の部分を隠すことによって保護され得る。例えば、カメラ２０２にとって公知の分散コード化パターンに従って、コード化画像３０２は、コード化画像３０２の全体にわたって分散する一つ以上のバーコードまたはバーコード断片を含むことができる。他の例では、コード化画像３０２は、カメラ２０２が特別な操作モードに入れられるときに、処理される。一部の実施形態では、特別な操作モードは、コード化画像３０２から抽出される情報を解読するために必要とされ得るパスワードまたは他の識別子を用いて有効にされ得る。
【００３１】
一部の実施形態では、コード化画像３０２は、視認可能なパターンにおいて暗号化される情報、そして、カメラシステム３０４’に通信可能に結合された一つ以上のデバイスのフィーチャをロック解除することを意図する情報を含む。例えば、コード化画像３０２は、例えばＣＣＵ３１０、ゲートウェイ３１２、ルーター３１４、切換器３１６、ストレージデバイス３１８または他のダウンストリームデバイス３２０など、一つ以上のダウンストリームコンポーネントのフィーチャをロック解除する情報を含むことができる。一部の実施形態では、コード化画像３０２は、パターンで暗号化される情報、および他のカメラシステム３２４’、または他のカメラシステム３２４’のデバイスまたはコンポーネント３２４、３２６、３２８または３３０のフィーチャをロック解除することが意図される情報を含むことができる。一部の実施形態では、コード化画像３０２は、他のデバイスのみによって復号され得る暗号化情報を含有する複数のデバイスを対象にする情報を含むことができる。
【００３２】
ベースカメラ３０４は、コード化画像３０２が他のデバイスを対象にする情報、あるいは、そうでなければキーまたはカメラ３０４が利用できる他の一意的な情報を用いて復号されることのできない情報を含むと、認識することができる。カメラ３０４は、一つ以上のダウンストリームデバイスまたはコンポーネント３１０、３１２、３１４、３１６、３１８、および３３０におよび／または他のカメラシステム３２４’にコード化画像３０２から抽出される情報の一部もしくは全部を任意に伝達することができる。ダウンストリームコンポーネント３１０、３１２、３１４、３１６、３１８、３２０または３３０は、コード化情報を解読するように構成されてもよい。一部の実施形態では、集中的な暗号解読は、カメラ３０４またはカメラ３０４と通信する他のデバイスのためのダウンストリームコンポーネント３１０、３１２、３１４、３１６、３１８、３２０の一つによって、実行され得る。例えば、一つ以上のコントローラ３１０または３３０は、システムの他のデバイスのための暗号解読サービスを実行することができる。
【００３３】
一部の実施形態では、カメラシステム３０４’の一つ以上のフィーチャは、コード化画像３０２から得られる情報を利用してロック解除され得る。特定のフィーチャは、カメラシステム３０４’の一つ以上のコンポーネント３０４、３０６または３０８、ダウンストリームコンポーネント３１０、３１２、３１４、３１６、３１８、３２０または３３０、および／または他のカメラシステム３２４’によって有効化され得る。例えば、フィーチャは、３倍速で動作するカメラシステム３０４’を使用可能にすることができるカメラ３０４のスローモーションフィーチャを有効にすることができる。例えば、ルーター３１４、デジタル・レコーダなどのストレージデバイス３１８、および他のデバイスなどの特定のダウンストリームデバイスは、カメラシステム３０４’のスローモーション／３倍速の出力をサポートするように構成され得る。使用可能にされるか改善され得る他のフィーチャは、ビデオ解像度およびフレームレートを含むことができる。フィーチャは、カメラシステム３０４’、基地局３１０または他のシステムコンポーネントによって出力されるインターネットプロトコル（ＩＰ）上のビデオの制作を可能にするロック解除がなされてもよい。
【００３４】
一部の実施形態では、ロック解除されているフィーチャは、より高いダイナミックレンジ、ノイズ除去および他の機能を提供することによって、カメラの設定の付加的な画像処理および／または調整を可能にすることができる。ロック解除されているフィーチャは、例えば、二次的な色補正および色収差低減を提供する他の機能を有効にすることができる。一部の実施形態では、選択可能なアスペクト比および定義設定は、有効にされ得る。例えば、高解像度カメラシステム３０４’のロック解除されているフィーチャは、標準画質ビデオ出力の制作を可能にすることができる。他の例では、ロック解除されているフィーチャは、オペレータがビデオ画像から静止画像またはスナップショットを生成できるようにしてもよい。スナップショットは、ＪＰＥＧ画像としてコード化され、ビデオ制作システムの他のコンポーネントに送信され、ローカルに保存またはシステムのストレージデバイス３１８において保存され、および／または電子メール、ショートメッセージシステムのメッセージ（テキストメッセージ）、インスタントメッセージ、または他の何らかの標準的なまたは専用の（独占所有権のある）通信方法またはシステムによって送信され得る。一部の実施形態では、ゲートウェイ３１２のフィーチャは、異なる制御またはオーディオ／ビデオ圧縮プロトコルを用いて作動する制御ユニットおよび／またはカメラシステム３２４’の一本化を可能にすることができる。
【００３５】
本発明の特定の態様に従って有効にされるフィーチャは、カメラ３０４のアスペクト比、カメラ３０４のビデオ解像度、カメラ３０４のフレームレートおよびカメラ３０４のビデオ出力のコード化フォーマットを含む一つ以上の特性およびビデオ制作システムの機能に影響を及ぼすことができる。同様のフィーチャは、ビデオ制作システムに接続された他のカメラシステム３２４’で有効にされ得る。フィーチャは、ダウンストリームコンポーネント３１０、３１２、３１４、３１６、３１８および／または３２０においてロック解除される場合もある。
【００３６】
他のフィーチャは、例えばカメラ２０２のビデオ出力からのメタデータの生成など、ビデオ処理機能に関連したフィーチャを含んでロック解除され得る。メタデータは、場所（位置）を確認する情報またはカメラ２０２によって捕えられる対象物のサイズを含むことができる。一部の実施形態では、ロック解除されているフィーチャは、例えば所望のまたは利用できるコード化フォーマットを用いるネットワークによるカメラ２０２からビデオフィードを伝搬させるように構成されるビデオサーバなど、他のデバイス３２０を使用可能にすることができる。
【００３７】
図４は、オーディオ・ビジュアル機器を構成する方法のためのフローチャート４００である。本方法は、一つ以上のプロセッサ１０４および１２０を含むことができるカメラ３０４によって実行され得る。ステップ４０２において、カメラ３０４は、ＣＣＤ、相補型金属酸化物半導体（ＣＭＯＳ）アクティブピクセルセンサまたは他の適切なセンサを含むことのできるカメラ３０４の撮像デバイス１２２を用いて画像３０２を取り込む。一部の実施形態において、画像３０２はコード化パターンを含む。
【００３８】
ステップ４０４において、カメラ３０４は、カメラ３０４の画像プロセッサ１２０またはカメラ３０４に結合された他のデバイスの画像プロセッサ１２０を用いてコード化パターンから情報を抽出する。例えば、画像プロセッサ１２０は、ビューファインダ３０８、ＣＣＵ３１０またはカメラシステム３０４’に通信可能に結合されたコンピュータデバイス３３２を含んで、カメラシステム３０４’の他のコンポーネントにおいて提供され得、それによって、カメラ２０２は、他のコンポーネントに取り込み画像３０２を提供し得、他のコンポーネントに画像３０２から情報を抽出させ、および／またはコード化パターンを復号させる。例えば、画像３０２は、要求または命令により提供され得る。画像３０２から抽出される復号情報は、更なる処理のためにカメラシステム３０４’で受信され得る。
【００３９】
一部の実施形態では、情報は、暗号化情報を含む。一部の実施形態では、情報は、カメラ３０４によって保持される一意の識別子を用いて暗号化情報を解読することによって、コード化パターンから得られる。一意の識別子は、カメラ３０４と関連したシリアル番号を含むことができる。一意の識別子は、カメラ３０４のために生成された暗号化キーを含むことができる。
【００４０】
暗号化情報がコード化画像３０２から抽出されるとき、次のステップ４０６で、一部の実施形態は、カメラ３０４で保持される一意の識別子を用いてカメラ３０４によって暗号化情報のいずれかが解読されることができるかどうか決定する。カメラ３０４が暗号化情報を解読することができると決定される場合、次のステップ４１０で、カメラ３０４は情報を解読することができ、コード化パターンから抽出される情報を用いてカメラシステム３０４’の所定のフィーチャをロック解除することができる。一部の実施形態では、フィーチャはカメラ２０２の機能的な態様に関する。
【００４１】
コード化画像３０２から暗号化情報が抽出されるとき、次のステップ４０８で、一部の実施形態は、他のデバイスによって保持される一意の識別子を用いて少なくとも一つの他のデバイス（例えば一つ以上のダウンストリームデバイス３１０、３１２、３１４、３１６、３１８、３２０または３３０）によって、暗号化情報のいずれかが解読されることができるかどうか決定する。一部の実施形態では、少なくとも一つの他のデバイスは、少なくとも一つの他のソースによって保持される一意の識別子を用いて暗号化情報を解読するように構成される。
【００４２】
暗号化情報の一部もしくは全部がダウンストリームデバイスによって解読されるかまたは解読され得ると、ステップ４０８で決定される場合、次のステップ４１２で、暗号化情報の一部もしくは全部は、カメラ３０４に通信可能に結合される少なくとも一つの他のデバイスに送信され得る。
【００４３】
一部の実施形態では、暗号化情報は、他のデバイスによって保持される一意の識別子を用いて少なくとも一つの他のデバイス（例えば一つ以上のダウンストリームデバイス３１０、３１２、３１４、３１６、３１８、３２０または３３０）によって解読され得る。一部の実施形態では、少なくとも一つの他のデバイスは、少なくとも一つの他のソースによって保持される一意の識別子を用いて暗号化情報を解読するように構成される。
【００４４】
一部の実施形態では、フィーチャは、カメラ３０４のアスペクト比に関連している。一部の実施形態では、フィーチャは、カメラ３０４のビデオ解像度に関連している。一部の実施形態では、フィーチャは、カメラ３０４のビデオフレームレートに関連している。一部の実施形態では、フィーチャは、カメラ３０４のビデオ出力のコード化フォーマットに関連している。一部の実施形態では、フィーチャは、カメラ３０４に通信可能に結合されるＣＣＵ３１０に関連している。一部の実施形態では、フィーチャは、カメラ３０４からの、そして、少なくとも一つの他のカメラ３２４からのビデオフィードを受け取るように構成されるゲートウェイ３１２に関連している。一部の実施形態では、フィーチャは、少なくとも一つの他のカメラ３２４の機能的な態様に関連している。一部の実施形態では、フィーチャは、カメラ３０４のビデオ出力に加えられる効果に関連している。
【００４５】
一部の実施形態では、フィーチャは、カメラ３０４によるスローモーションの取り込みを可能にする。一部の実施形態では、フィーチャは、カメラ３０４のビデオ出力からのメタデータの生成に関連している。一部の実施形態では、ダウンストリームデバイスは、例えばネットワークを介してカメラ３０４からビデオフィードを伝搬させるように構成されるビデオサーバなど、一つ以上の他のデバイス３２０を含む。一部の実施形態では、フィーチャは、ネットワークを介してビデオフィードを伝搬させるために用いられるコード化フォーマットに関連している。
【００４６】
一部の実施形態では、コード化パターンは、バーコードを含む。一部の実施形態では、バーコードは、二次元のバーコードである。一部の実施形態では、バーコードは、色にコード化された情報を含む。
【００４７】
図５は、典型的な装置１００の機能性を例示している概念ブロック図５００である。
装置１００は、画像３０２を取り込むモジュール５５０、取り込み画像３０２から情報を抽出するモジュール５５２、およびカメラシステム３０４’またはカメラシステム３０４’に連結されたデバイスのフィーチャをロック解除するモジュール５５４を含む。
【００４８】
１つの構成において、モジュール５５０は、カメラ３０４の撮像デバイス１２２またはカメラ３０４に結合された撮像デバイス１２２および／またはプロセッサ１０４を利用して画像３０２を取り込む。一部の実施形態では、画像３０２は、コード化パターンを含む。一つの実施例において、画像プロセッサ１２０は、カメラシステム３０４’に通信可能に結合されたビューファインダ３０８、ＣＣＵ３１０またはコンピュータデバイス３３２を含んだカメラシステム３０４’の他のコンポーネントにおいて設けられ得る。それによって、カメラ２０２は、取り込み画像３０２を他のコンポーネントに提供することができ、他のコンポーネントに画像３０２から情報を抽出させること、および／またはコード化パターンをデコード（復号）することができる。画像３０２は、要求または命令により提供され得る。画像３０２から抽出される復号情報は、更なる処理のためにカメラシステム３０４’で受信され得る。
【００４９】
１つの構成において、モジュール５５２は、カメラ２０２の画像プロセッサ１２０を用いてコード化パターンから情報を抽出する。一部の実施形態では、該情報は、暗号化情報を含む。一部の実施形態では、該情報は、カメラ３０４によって保持される一意の識別子を用いて暗号化情報を解読することによって、コード化パターンから抽出される。一意の識別子は、カメラ３０４と関連したシリアル番号を含むことができる。一意の識別子は、カメラ３０４に対して生成される暗号化キーを含むことができる。
【００５０】
１つの構成において、モジュール５５４は、カメラ３０４またはコード化パターンから抽出される情報を用いてカメラ３０４に通信可能に結合されたデバイスの所定のフィーチャをロック解除する。一部の実施形態では、上記フィーチャは、カメラ３０４または接続されるデバイスの機能的な態様に関連している。
【００５１】
一部の実施形態では、情報は、暗号化情報を含む。一部の実施形態では、該情報は、カメラ３０４によって保持される一意の識別子を用いて暗号化情報を解読することによって、コード化パターンから抽出される。一意の識別子は、カメラ３０４と関連したシリアル番号を含むことができる。一意の識別子は、カメラ３０４に対して生成される暗号化キーを含むことができる。カメラ３０４は、コード化パターンから抽出される情報を用いて情報を解読したり、カメラシステム３０４’の所定のフィーチャをロック解除したりすることができる。一部の実施形態では、フィーチャは、カメラ２０２の機能的な態様に関連している。一部の実施形態では、暗号化情報は、他のデバイスによって保持される一意の識別子を用いて少なくとも一つの他のデバイス（例えば一つ以上のダウンストリームデバイス３１０、３１２、３１４、３１６、３１８、３２０または３３０）によって、解読され得る。一部の実施形態では、少なくとも一つの他のデバイスは、少なくとも一つの他のソースによって保持される一意の識別子を用いて暗号化情報を解読するように構成される。
【００５２】
一部の実施形態では、フィーチャは、カメラ３０４のアスペクト比に関連している。一部の実施形態では、フィーチャは、カメラ３０４のビデオ解像度に関連している。一部の実施形態では、フィーチャは、カメラ３０４のビデオフレームレートに関連している。一部の実施形態では、フィーチャは、カメラ３０４のビデオ出力のコード化フォーマットに関連している。一部の実施形態では、フィーチャは、カメラ３０４に通信可能に結合されるＣＣＵ３１０に関連している。一部の実施形態では、フィーチャは、カメラ３０４からの、かつ少なくとも一つの他のカメラ３２４からのビデオフィードを受け取るように構成されるゲートウェイ３１２に関連している。一部の実施形態では、フィーチャは、少なくとも一つの他のカメラ３２４の機能的な態様に関連している。一部の実施形態では、フィーチャは、カメラ３０４のビデオ出力に加えられる効果に関連している。
【００５３】
一部の実施形態では、フィーチャは、カメラ３０４によるスローモーションの取り込みを可能にする。一部の実施形態では、フィーチャは、カメラ３０４のビデオ出力からのメタデータの生成に関連している。一部の実施形態では、ダウンストリームデバイスは、ネットワークを介してカメラ３０４からビデオフィードを伝搬させるように構成されるビデオサーバ３２０を含む。一部の実施形態では、フィーチャは、ネットワークを介してビデオフィードを伝搬させるために用いるコード化フォーマットに関連している。
【００５４】
一部の実施形態では、コード化パターンは、バーコードを含む。一部の実施形態では、バーコードは、二次元のバーコードである。一部の実施形態では、バーコードは、色にコード化された情報を含む。
【００５５】
上述した手段は、上述した手段によって列挙される機能を実行するように構成される一つ以上の処理システム１１４を使用することができる。上記記載されているように、処理システム１１４は、プロセッサ１０４および画像またはシグナルプロセッサ１２０を含むことができる。それ自体、１つの構成で、上述した手段は、プロセッサ１０４であり得、また、上述した手段によって列挙した機能を実行するように構成される画像またはシグナルプロセッサ１２０であり得る。
【００５６】
開示されるプロセスにおけるステップの特定の命令または階層が典型的な方法の実例であるものと理解される。設計選択（嗜好）に基づいて、プロセスにおけるステップの特定の命令または階層が再編成されることができるものと理解される。付随する方法クレームは、サンプル命令における様々なステップの要素を示し、提示される特定の命令または階層に限られるものではない。
【００５７】
これまでの説明は、いずれの当業者も本書において記載されている様々な態様を行えるように提供されている。これらの態様に対する様々な変更は、当業者にとってたやすく明らかであり、本書において定められる一般的な原則は他の態様に適用され得る。従って、クレーム（請求の範囲）は、本書において示される態様に限られることを意図しないが、言語請求に一致した完全な範囲が与えられる。単数の要素への言及は、特別にそのような言い方をしない限りは「唯一の」を意味することを意図せず、むしろ「一つ以上」である。それ以外には、特に述べられない限り、「一部の」という文言は一つ以上のことである。周知であるかまたは後で当業者に公知になるこの開示の全体にわたって記載されている様々な態様の要素へのあらゆる構造的および機能的等価物は、本書にて明示的に組み込まれ、クレームによって含まれることを意図する。さらに、この種の開示がクレームにおいて明示的に詳述されるかどうかにかかわらず、開示される本書には、一般（公共）にささげられることを意図されない。クレームの構成要素は、構成要素が「〜のための手段」のフレーズ、あるいは、方法クレームの場合、構成要素が「〜のためのステップ」のフレーズを使用することについて明示的に挙げられない限り、米国特許法１１２条、第６パラグラフの規定により解釈されることはない。
【図１】
0005905976.tif 000002
【図２】
0005905976.tif 000003
【図３】
0005905976.tif 000004
【図４】
0005905976.tif 000005
【図５】
0005905976.tif 000006